(57)【要約】  【課題】  容器本体と蓋体とからなる容器の外側に胴巻きされる帯フィルムが、該容器から抜け難く、仮に無理矢理抜いたとしても、元に戻すことが困難な胴巻包装容器を提供する。  【解決手段】  容器本体１と蓋体２からなる胴巻包装容器Ａにおいて、前記容器本体１と蓋体２における胴巻きの帯フィルムＢが接する部分に、該帯フィルムの幅方向への移動を規制する凹部５を少なくとも一箇所以上設けた。  【選択図】  図１
2010052754.tif 000002
【特許請求の範囲】
【請求項１】
容器本体と蓋体からなる胴巻包装容器において、
前記容器本体と蓋体における胴巻きの帯フィルムが接する部分に、該帯フィルムの幅方向への移動を規制する凹部が少なくとも一箇所以上設けられていることを特徴とする胴巻包装容器。
【請求項２】
前記凹部は、蓋体に設けられていることを特徴とする請求項１記載の胴巻包装容器。
【請求項３】
前記凹部は、帯フィルムの幅方向の側縁と当接する係合面を幅方向両側に有することを特徴とする請求項１または２記載の胴巻包装容器。
【請求項４】
前記凹部は、帯フィルムのフィルム面と接する面が平坦面であることを特徴とする請求項１乃至３の何れか１項記載の胴巻包装容器。
【発明の詳細な説明】
【技術分野】
【０００１】
本発明は容器本体と蓋体とからなり、包装後、正規に開けられるまで蓋体が開けられないように帯フィルムで胴巻きされる胴巻包装容器に関する。
【背景技術】
【０００２】
コンビニエンスストアーやスーパーマーケット等で販売される鮨、惣菜、和菓子等の食品は、プラスチック製の容器本体と、透明なプラスチック製の蓋体とからなる包装容器を用いて包装されている（例えば、特許文献１）。その包装した容器は帯フィルム、又は帯紙フィルム等で胴巻きして、蓋体が開いたりしないようになっている。
そして、上記帯フィルム又は帯紙フィルムによる胴巻きは一般的に機械、例えば、胴巻き包装値付機で行われている。更に、最近では帯フィルム又は帯紙フィルムに商品情報（商品名、値段、消費期限、加工日、バーコード等）を印字する胴巻きプリンタ等も使用されている。
【０００３】
機械による胴巻きは、包装容器を変形させない程度の張力で帯フィルムが巻かれている。しかし、包装に使用される胴巻包装容器（嵌合トレー）は、平面視略矩形である場合、帯フィルムが巻かれる対向する二辺は略直線縁であるから、胴巻きされた帯フィルム又は帯紙フィルムを、力を入れて該容器の端の方に引っ張り移動させる、或いは容器を少し変形させる等することで、胴巻きされた帯フィルム又は帯紙フィルムを帯巻き状態（輪の状態）のままで包装容器から抜くことができる。
【０００４】
前記帯フィルムが抜けるという状況は、平面視矩形状の包装容器に限らず、平面視略円形、或いは平面視楕円形等の包装容器でも発生し、しかも、平面視略矩形状の包装容器よりも簡単に抜け易いという問題点を有する。
【０００５】
胴巻きされた帯フィルム又は帯紙フィルムが包装容器から抜けるということは、該帯フィルムを抜いて外した後、包装容器を開けて商品に悪戯し、蓋をした後、前記抜いた帯フィルムを包装容器に再セットすることも可能である。この場合、外見からは商品に悪戯されたなどの不正行為は判別できず、食品加工会社は対応に苦慮しているのが実情である。
尚、帯フィルムが包装容器から抜けないようにする為に強い張力で胴巻きすることが考えられるが、張力を強くした場合は包装容器が潰れ、商品の見栄えが悪くなり、商品価値を低下させる等の問題を有する。
【０００６】
【特許文献１】特開平１１−５９６８３号公報
【発明の開示】
【発明が解決しようとする課題】
【０００７】
本発明は上記従来の技術が有する問題点に鑑みてなされたもので、その目的とするところは、容器本体と蓋体とからなる容器の外側に胴巻きされる帯フィルムが、該容器から抜け難く、仮に無理矢理抜いたとしても、元に戻すことが困難な胴巻包装容器を提供することにある。
【課題を解決するための手段】
【０００８】
上記目的を達成する為に本発明は、容器本体と蓋体からなる胴巻包装容器において、容器本体と蓋体における胴巻きの帯フィルムが接する部分に、該帯フィルムの幅方向への移動を規制する凹部を少なくとも一箇所以上設けた構成を特徴とする（請求項１）。
前記胴巻包装容器は、容器本体に対し蓋体が着脱可能に被着される分離タイプ、或いは容器本体と蓋体とが一側縁で開閉可能に連結された連結タイプの何れのタイプでもよい。
又、胴巻包装容器の形状は、この種容器として一般的な平面視矩形状、平面視楕円形状、平面視円形状、平面視五角形状、平面視六角形状等、何れの形状でもよい。
前記凹部の形成は、容器本体と蓋体の両方に、容器本体のみ、あるいは蓋体のみ（請求項２）の何れでもよい。
又、前記凹部の形成箇所は、容器本体、蓋体の平面部分、又は容器本体、蓋体の平面部分が交差する角部（稜線）、或いは平面部分と角部の両方等、いずれでもよい。
【０００９】
上記手段によれば、容器本体と蓋体とからなる胴巻包装容器の外周に帯フィルムが胴巻きされるが、その帯フィルムが胴巻きされる部分に該帯フィルムの幅方向への移動を規制する凹部が設けられている為、帯フィルムは凹部に嵌まって胴巻きされる。それにより、凹部に嵌まって胴巻きされる帯フィルムの周長は、凹部に嵌めないで胴巻きした場合の周長より短くなる為、該帯フィルムを容器から抜き外すことは困難となる。仮に、容器本体や蓋体を押し潰して無理矢理外したとしても、その外した帯フィルムを元の位置にセットすることは殆ど不可能である。よって、不正行為を防止できる胴巻包装容器を提供できる。
又、食品用の胴巻包装容器は、容器本体に比べて蓋体の方が強度的に弱いが、その蓋体に凹部を形成することで、該凹部を区画する部分がリブの作用をなして、蓋体の強度を補強する。それにより、該凹部に胴巻きする帯フィルムの張力を高めることができ、より一層帯フィルムの抜けを防止することができる。
【００１０】
前記凹部は、帯フィルムの幅方向の側縁と当接する係合面を幅方向両側に有する構成とする（請求項３）。
即ち、凹部は帯フィルムの幅方向の側縁が当接する係合面（壁）を両側に有し、帯フィルムの幅方向何れの方向にも係合面が邪魔して胴巻きされた帯フィルムの移動（抜け）を
防止する。
前記係合面は凹部の底面から上方に向けて起立する面であればよく、底面と略直角に交差する鉛直面が好適である。
【００１１】
上記手段によれば、胴巻きされる帯フィルムの幅方向の両側に係合面が存在することで、凹部に嵌って胴巻きされる帯フィルムは該帯フィルムの側縁が係合面に当接して幅方向のどちらにも移動が防止される。
【００１２】
更に、前記凹部の底面は凹凸面でもよいが、好ましくは平坦面が有効である（請求項４）。
その場合、凹部に嵌って胴巻きされる帯フィルムのフィルム面を凹部の底面に密着させて胴巻きできるため、帯フィルムを浮いたりすることなくしっかりと胴巻きでき、帯フィルムを抜け難く胴巻きすることができる。
【発明の効果】
【００１３】
本発明の胴巻包装容器は請求項１記載の構成により、帯フィルムを凹部に嵌めて胴巻きすることで、該帯フィルムは容器から抜け難くなる。それにより、帯フィルムを抜いて商品に悪戯をする等の不正行為を確実に防止でき、お客様に安心して商品を提供できる容器を提供する。
又、請求項２記載の構成により、蓋体に設けた凹部は該蓋体の強度を補強する。従って、容器本体に比べて蓋体の方が強度的に弱い食品用の胴巻包装容器には有効で、しかも、該凹部に胴巻きする帯フィルムの張力を高めることができ、より一層帯フィルムの抜けを防止することができる。
【００１４】
更に、請求項３記載の構成により、凹部に嵌って胴巻きされる帯フィルムは該帯フィルムの側縁が係合面に当接して幅方向のどちらにも抜けが防止される。よって、商品への悪戯を確実に防止できる胴巻包装容器を提供できる。
また、請求項４記載の構成により、帯フィルムを抜け難く胴巻きすることができる。
【発明を実施するための最良の形態】
【００１５】
以下、本発明の実施の形態の一例を図面に基づいて説明する。
図１及び図２は、本発明に係る胴巻包装容器の外観図で、胴巻包装容器Ａは鮨の容器として一般的に用いられるもので、プラスチック製の容器本体１と、その容器本体１に着脱可能に被着されるプラスチック製の蓋体２との組み合わせで構成されている。
【００１６】
前記容器本体１は平面視矩形状をなし、底板１ａの四辺から斜め上方に向けて側壁１ｂが起立形成された略台形状の容器で、上端には水平外方向に向けて突縁３が一体に形成されている。
【００１７】
前記蓋体２は透明で、天板２ａの四辺から斜め下方に向けて側壁２ｂが垂下形成された略台形状の蓋で、下端には水平外方向に向けて突縁４が一体に形成され、前記容器本体１の突縁３と重なり合うように形成されている。
又、前記突縁３と突縁４との重合部分には雄・雌部材の嵌め合い、或いはアンダーカット等の止め手段（図示省略）が形成され、それによって容器本体１に対し蓋体２が係止され、蓋体２が不用意に開いたりしないようになっている。
【００１８】
上記構成からなる胴巻包装容器Ａの蓋体２における天板２ａと側壁２ｂとが交差する角部（稜線）２ｃに、該角部（稜線）を略斜めにカットするように凹部５が同一線上に形成されている。
前記凹部５は、胴巻包装容器Ａに胴巻きする帯フィルムＢの横幅より多少幅広で、且つ帯フィルムＢのフィルム厚より深い切欠きで、該凹部５の底面５ａは平坦面に形成され、その底面５ａの幅方向（胴巻きする帯フィルムの幅方向側縁と対向する面）の両側には係合面５ｂが起立形成されている。
前記係合面５ｂは、入口側（角部上の切欠き幅）が底面５ａの幅よりやや幅広くなるように外向きの傾斜面で形成されている。これにより、帯フィルムＢを胴巻きする時、帯フィルムＢを凹部５内に嵌入セットする案内作業を容易に行うことができる。尚、係合面５は底面５ａより略鉛直に起立する係合面でもよい。
【００１９】
これにより、該凹部５を横切る位置に帯フィルムＢを胴巻きした場合、帯フィルムＢのフィルム面は凹部５の底面に接し、更に帯フィルムＢの幅方向の側縁は底面５ａの幅方向両側に起立する係合面５ｂと当接し、胴巻きされた帯フィルムＢを凹部５内に移動不能に保持する。それにより、胴巻きされた帯フィルムＢを胴巻包装容器Ａから胴巻き状態のままで抜き取ることは不可能となる。
【００２０】
前記凹部５は蓋体２の天板２ａと側壁２ｂが交差する角部（稜線）１ｃに形成したが、該凹部は蓋体２に形成する形態に限らず、容器本体１に、或いは容器本体１と蓋体２の両方に形成してもよい。以下、凹部５の他の例を図面に基づいて説明する。
図３（ａ）は、蓋体２の天板２ａ表面に短辺方向に沿って凹部６を形成した例で、胴巻きされる帯フィルムＢは該凹部６の全長に亘って嵌入される。それにより、帯フィルムＢの抜止効果は更に確実となる。
【００２１】
図３（ｂ）は、容器本体１と蓋体２の両方に凹部を形成した例で、その凹部は図１に示した蓋体２の角部（稜線）２ｃに凹部５を形成したと同様、容器本体１の底板１ａと側壁１ｂとが交差する角部（稜線）１ｃに、該角部（稜線）を略斜めにカットするように凹部７を同一線上に形成する。即ち、容器本体１に形成する２箇所の凹部７と、蓋体２に形成する２箇所の凹部５は同一線上に位置させ、胴巻きの帯フィルムＢが合計４箇所の凹部５，５、７，７に嵌入するようにする。尚、容器本体１と蓋体２の両方に凹部を形成する場合、容器本体１と蓋体２の凹部は１個ずつでもよい。
又、図３（ｂ）において、凹部を容器本体１の凹部７のみとしてもよい。尚、容器本体１に凹部を設けた場合、該凹部が容器本体１の内側に突出する為、容器本体１の収容容積を多少狭くなる。従って、収容容積を考慮した場合、前記凹部は蓋体に設けるのが有効である。
【００２２】
図４は、胴巻包装容器Ａ’の平面視形状が略楕円形状で、その容器の蓋体８における略短軸線上の天板８ａと側壁８ｂとが交差する角部（稜線）８ｃに、該角部（稜線）を略斜めにカットするように凹部９を形成した例である。
【００２３】
本発明の胴巻包装容器は図示した実施の形態に限定されず、本発明の要旨を変更しない範囲で変更可能である。
（１）凹部の形成箇所を、平面視矩形状の容器では短辺方向、平面視略楕円形状の容器では短軸線上に形成したが、長辺方向、或いは長軸線上に形成してもよい。但し、その場合は胴巻きに使用する帯フィルムの長さ（周長）が長くなり、コストアップとなる。
（２）凹部は、容器本体及び蓋体に膨出形成される底板、天板、及び角部（稜線）に限らず、容器本体及び蓋体に形成される突縁に切欠き形成してもよい。
（３）胴巻包装容器は、容器本体と蓋体とが一側縁で開閉可能に連結された連結タイプの容器でもよい。
（４）本発明に係る胴巻包装容器は、食品の包装のみならず、工業用品、機械部品、電子部品等の包装容器としても使用できるものである。
【図面の簡単な説明】
【００２４】
【図１】本発明に係る胴巻包装容器の実施の一例を示す斜視図。
【図２】（ａ）は平面図、（ｂ）は正面図、（ｃ）は（ａ）図の（ｃ）−（ｃ）線に沿える拡大断面図。
【図３】凹部形成の他の例を示し、（ａ）は蓋体の天板表面に形成した断面図、（ｂ）は容器本体と蓋体の両方に凹部を形成した断面図。
【図４】平面視略楕円形状の容器に凹部を形成した例を示す平面図。
【符号の説明】
【００２５】
Ａ、Ａ’…胴巻包装容器                  Ｂ…帯フィルム
１…容器本体                      ２…蓋体
５、６、７、９…凹部                        ５ａ…凹部の底面
５ｂ…係合面
【図１】
2010052754.tif 000003
【図２】
2010052754.tif 000004
【図３】
2010052754.tif 000005
【図４】
2010052754.tif 000006